(57)【特許請求の範囲】
【請求項１】
外周にネジ溝が形成され、上端でくさびを介してテンドンの一部を保持するアンカーヘッドと、
前記アンカーヘッドの外周に嵌装され前記ネジ溝に螺合するナットと、
前記アンカーヘッドと受圧構造物の間に配置され、テンドンを通すための貫通孔が設けられて、上面における前記貫通孔の開口周辺を窪ませて形成され前記貫通孔を拡径する凹陥部を有する支圧板と、
前記テンドンの挿通孔が設けられ、前記ナットと前記支圧板の間に配置される押え具と、
前記凹陥部に収容され、高さ寸法が前記凹陥部の高さ寸法よりも大きく弾力性を有する止水部材と、
前記アンカーヘッド、前記テンドンの先端部、前記ナット、及び前記押え具において前記凹陥部がなす収容空間を囲う部位を覆い、前記支圧板に水密状態で密着するヘッドキャップを備え、
前記テンドンは、前記押え具と前記止水部材を貫通する挿通孔に通され、
前記止水部材は、前記収容空間の内部で押え具により前記支圧板から離れる方向への変形が規制され、前記凹陥部の内壁により横断面方向への変形が規制された状態で圧縮されていることを特徴とするテンドンの頭部定着構造。
【請求項２】
外周にネジ溝が形成され、上端でくさびを介してテンドンの一部を保持するアンカーヘッドと、
前記アンカーヘッドの外周に嵌装され前記ネジ溝に螺合するナットと、
前記アンカーヘッドと受圧構造物の間に配置され、テンドンを通すための貫通孔が設けられた支圧板と、
前記支圧板に当接する面における中央周辺を窪ませて形成された凹陥部を有し、前記凹陥部の底面で開口する前記テンドンの挿通孔が設けられ、前記ナットと前記支圧板の間に配置される押え具と、
前記凹陥部に収容され、高さ寸法が前記凹陥部の高さ寸法よりも大きく弾力性を有する止水部材と、
前記アンカーヘッド、前記テンドンの先端部、前記ナット、及び前記押え具において前記凹陥部がなす収容空間を囲う部位を覆い、前記支圧板に水密状態で密着するヘッドキャップを備え、
前記テンドンは、前記押え具と前記止水部材を貫通する挿通孔に通され、
前記止水部材は、前記凹陥部の内壁により前記支圧板から離れる方向及び横断面方向への変形が規制された状態で圧縮されていることを特徴とするテンドンの頭部定着構造。
【発明の詳細な説明】
【技術分野】
【０００１】
本発明は、地すべりなどを防止するための、斜面・のり面の地山安定対策工に使用されるグラウンドアンカー工法において、グラウンドアンカー（以下、テンドンという）の頭部を地山に定着させる構造に関するものである。
【０００２】
グラウンドアンカー工法では、頭部、自由長部、及びアンカー体で構成されるテンドン（テンドン引張材、或いはストランドと称される場合もある）が用いられる。
【０００３】
アンカー体は、セメントグラウトの注入でテンドンを地山に固定する機能を有する。また、自由長部は、テンドンを伸縮可能なフリーな状態とするための部位である。
【０００４】
頭部は、テンドンを地山表面で、のり枠や受圧板などの受圧構造物に定着させるための部位である。テンドンをジャッキにて緊張させ、アンカーヘッドやくさびなどの冶具を用いて、受圧構造物に定着させる。なお、頭部が受圧構造物に定着された状態において、テンドンには引張力が作用した状態となる。そして、当該引張力は、その反力として地山に圧縮力を作用させることから、地すべりなどの不安定挙動を抑止できる。
【０００５】
テンドンの頭部を受圧構造物に定着させる構造としては、例えば、実公平７−２５３６４号公報に開示されている構造（以下、頭部定着構造とする）が知られている。この頭部定着構造では、外周に雄ねじが形成され、くさび挿入可能なテーパー状の開口部を有する鋼材挿通孔を貫通させた円盤状の定着体（以下、アンカーヘッドとする）とくさびを使用し、アンカーヘッドと受圧構造物の間に配置される支圧板を介して受圧構造物に頭部を定着させることができる。また、アンカーヘッドの外周に螺合するナットの位置を調整することにより引張力を調整することができる。
【０００６】
上記頭部定着構造は、地表に露出し劣化しやすい環境におかれるため、強度や寿命において期待される効果を得るためには、劣化を防止するための対策と、定期的な点検が必要となる。そこで、本発明者らは、特開２０１２−１２７１４６号公報において、劣化防止と点検の双方を可能とするアンカー頭部及び頭部背面構造を提案している。
【０００７】
上記アンカー頭部及び頭部背面構造では、アンカープレートに支持され上端にアンカーヘッドを保持するアンカーヘッド支持部材に、目視窓を穿設することで、アンカー頭部及び頭部背面構造を分解することなく、腐食や劣化が進行し易い領域であるアンカーヘッド直下の領域のテンドンの状態を視認により点検すること可能としている。
【０００８】
また、アンカーヘッド、くさび、ナット及びテンドンの端部（以下、これらの総称を「定着部材」とする）をヘッドキャップで覆うとともに、アンカーヘッド支持部材の内部における下方に止水具スペーサを介装し頭部定着構造への地中からの水の侵入を防止することにより、頭部定着構造の劣化防止が図られている。
【先行技術文献】
【特許文献】
【０００９】
【特許文献１】実公平７−２５３６４号公報
【特許文献２】特開２０１２−１２７１４６号公報
【発明の開示】
【発明が解決しようとする課題】
【００１０】
しかしながら、アンカーヘッド支持部材の内部における下方に止水具スペーサを介装しながら、テンドンの状態の視認による点検を可能とする従来の構造は、支圧板からの突出長が大きくなり、落石の衝突、車両の衝突、積雪等に起因する、テンドンの延伸する方向に対し直交する方向への曲げ荷重により破損するおそれがあるという課題があった。
【００１１】
そこで、本発明は、地中からの水の侵入を防止でき、定着構造部材の状態を視認により点検することができ、突出長を小さく抑えることができる、テンドンの頭部定着構造を提供することを目的とする。
【課題を解決するための手段】
【００１２】
本発明に係るテンドンの頭部定着構造の第一は、外周にネジ溝が形成され、上端でくさびを介してテンドンの一部を保持するアンカーヘッドと、前記アンカーヘッドの外周に嵌装され前記ネジ溝に螺合するナットと、前記アンカーヘッドと受圧構造物の間に配置され、テンドンを通すための貫通孔が設けられて、上面における前記貫通孔の開口周辺を窪ませて形成され前記貫通孔を拡径する凹陥部を有する支圧板と、前記テンドンの挿通孔が設けられ前記ナットと支圧板の間に配置される押え具と、前記凹陥部に収容され、高さ寸法が前記凹陥部の高さ寸法よりも大きく弾力性を有する止水部材と、前記アンカーヘッド、前記テンドンの先端部、前記ナット、及び前記押え具において前記凹陥部がなす収容空間を囲う部位を覆い、前記支圧板に水密状態で密着するヘッドキャップを備える。そして、前記テンドンは、前記押え具と前記止水部材を貫通する挿通孔に通される。また、前記止水部材は、前記収容空間の内部で押え具により前記支圧板から離れる方向への変形が規制され、前記凹陥部の内壁により横断面方向への変形が規制された状態で圧縮されている。
【００１３】
本発明に係るテンドンの頭部定着構造の第二は、外周にネジ溝が形成され、上端でくさびを介してテンドンの一部を保持するアンカーヘッドと、前記アンカーヘッドの外周に嵌装され前記ネジ溝に螺合するナットと、前記アンカーヘッドと受圧構造物の間に配置され、テンドンを通すための貫通孔が設けられた支圧板と、前記支圧板に当接する面における中央周辺を窪ませて形成された凹陥部を有し、前記凹陥部の底面で開口する前記テンドンの挿通孔が設けられ、前記ナットと支圧板の間に配置される押え具と、前記凹陥部に収容され、高さ寸法が前記凹陥部の高さ寸法よりも大きく弾力性を有する止水部材と、前記アンカーヘッド、前記テンドンの先端部、前記ナット、及び前記押え具において前記凹陥部がなす収容空間を囲う部位を覆い、前記支圧板に水密状態で密着するヘッドキャップを備える。そして、前記テンドンは、前記押え具と前記止水部材を貫通する挿通孔に通される。また、前記止水部材は、前記凹陥部の内壁により前記支圧板から離れる方向及び横断面方向への変形が規制された状態で圧縮されている。
【発明の効果】
【００１５】
本発明に係るテンドンの頭部定着構造によれば、支圧板と押え具で囲われ支圧板に設けられた貫通孔に連通する収容空間に収容され、高さ寸法が収容空間の高さ寸法よりも大きく弾力性を有する止水部材が、支圧板から離れる方向及び横断面方向への変形が規制された状態で圧縮されることにより、止水部材に設けられたテンドンの挿通孔が変形縮径してシース材に密着し十分な止水機能を得ることができる。すなわち、止水部材は、高さ寸法が収容空間の高さ寸法よりも大きいものであればよく、横断面方向の寸法を小さくすることができる。そして、横断面方向の寸法を小さくすることにより、アンカーヘッドとナットとともに、ヘッドキャップで覆うことが可能となる。
【００１６】
また、ヘッドキャップで覆うことにより、アンカーヘッド、ナット、くさび、テンドンの端部、及び押え具において収容空間を囲う部位の劣化防止を図るとともに、ヘッドキャップを外すのみでテンドンの状態を視認により点検できるため、従来の頭部定着構造における上面止水具に設けられる窓に相当する確認手段を備える必要がなく、かつ押え具において収容空間を囲う部位が外部に露出しないことからその錆代を考慮する必要がない。従って、押え具の高さを小さくすることが可能となり、突出長を小さく抑えることができる。
【００１７】
更に、止水部材は、支圧板から離れる方向及び横断面方向への変形が規制された状態で圧縮されているため、定着構造の下面に作用する内部漏水の圧力が大きくなった場合には、テンドンの挿通孔が更に収縮し耐水圧性が向上する。
【００１８】
従って、本発明によれば、地中からの水の侵入を防止でき、定着構造部材の状態を視認により点検することができ、突出長を小さく抑えることができる。
【図面の簡単な説明】
【００１９】
【図１】本発明に係るテンドンの頭部定着構造の実施形態を示す縦断面図である。
【図２】本発明に係るテンドンの頭部定着構造の他の実施形態を示す縦断面図である。
【発明を実施するための形態】
【００２０】
図１を参照しながら、本発明に係るテンドンの頭部定着構造の実施形態を説明する。
この実施形態では、くさび２を挿入できるテーパー形状のくさび受部を有し、テンドン挿通孔を貫通させた円盤形のアンカーヘッド１と、くさび２を使用し、アンカーヘッド１と受圧構造物の間に配置される支圧板４を介して、テンドン８の頭部が受圧構造物に定着されるものとなっている。
【００２１】
テンドン８は支圧板４に形成された貫通孔４１に挿通され、先端近傍部のシース材８１が取り除かれ、このシース材８１の取り除かれた部分にくさび２が取り付けられている。
【００２２】
アンカーヘッド１の外周には、アンカーヘッド１の外周に形成された雄ねじに螺合するナット３が、アンカーヘッド１の外周に嵌装されている。そして、アンカーヘッド１とナット３の相対位置を調整することによりテンドン８の引張力を調整することができるものとされている。なお、図１において、アンカーヘッド１の外周に形成された雄ねじとナット３の内周に形成された雌ねじの図示は簡略化されている。
【００２３】
ナット３と支圧板４の間には、板材で形成された押え具５が配置されている。そして、押え具５の下面が支圧板４に当接し、上面がナット３に当接するものとなっている。すなわち、テンドン８の引張力の反力は、アンカーヘッド１、ナット３及び押え具５を介し、支圧板４が保持する構造となっている。
【００２４】
支圧板４には、テンドン８を通すための貫通孔４１が設けられている。また、支圧板４の上面における貫通孔４１の開口周辺には平面視円形の凹陥部４２が形成され、止水部材６が凹陥部４２に収容されている。
【００２５】
止水部材６は、弾性力を有し、高さ寸法が凹陥部４２の高さ寸法よりも大きいものとされている。なお、止水部材６の材質は、水を通すことなく、ナット３の受けた力を利用して圧縮できるものであればよく、製造条件等に適したものを適宜採用すればよいが、ゴム系、樹脂系が好適である。
【００２６】
また、この実施形態では、凹陥部４２が平面視円形であるため止水部材６の形状は円柱形とされているが、止水部材６の形状は、その横断面形状が凹陥部４２に適合するものであればよい。例えば、凹陥部４２が平面視正方形であれば、止水部材６の形状を底面が正方形の四角柱形とすればよい。
【００２７】
押え具５及び止水部材６にはテンドン８の挿通孔が設けられ、夫々に設けられた挿通孔が連通する向きで配置されている。そして、支圧板４に設けられた貫通孔４１を通したテンドン８は、押え具５と止水部材６を貫通する挿通孔に通され、更に、ナット３の内部に通された状態で定着されている。
【００２８】
定着された状態におけるテンドン８の引張力の反力は、既述の通り、アンカーヘッド１、ナット３及び押え具５を介し、支圧板４により保持されているが、このときの止水部材６は、押え具５により支圧板４から離れる方向の変形が規制され、凹陥部４２の内壁により横断面方向への変形が規制された状態で圧縮されている。そして、止水部材６に設けられたテンドン８の挿通孔が変形縮径してシース材８１に密着し止水するものとなっている。
【００２９】
止水部材６と凹陥部４２の高さ寸法の差、すなわち、止水部材６の圧縮される寸法は、止水部材６に設けられたテンドン８の挿通孔を変形縮径させシース材８１に密着させ止水機能を発現させるために必要な範囲で、止水部材６の材質や形状に応じて適宜決めることができる。例えば、材質がゴム材、高さ寸法が５〜４０ｍｍの円柱形の止水部材６であれば、凹陥部４２との高さ寸法の差は０．５〜２．０ｍｍとすることが好ましい。
【００３０】
また、止水部材６に設けられたテンドン８の挿通孔は、変形縮径したときにテンドンシース材８１に密着する形状であれば制限はないが、止水部材６の押え具５側に配置される面から支圧板４側に配置される面に向かって拡径されたものであれば、テンドン８を挿通させる作業の施工性を向上させることができるため好ましい。
【００３１】
アンカーヘッド１、テンドン８の先端部、ナット３、及び押え具５は、ヘッドキャップ７で覆われた状態となっている。
【００３２】
ヘッドキャップ７は、アンカーヘッド１、テンドン８の先端部、ナット３、及び押え具５を収容する本体部の開口周縁に形成された鍔部を有し、鍔部に装着されたシールリング７１を介し、支圧板４に水密状態で密着するものとなっている。
【００３３】
この実施形態において、ヘッドキャップ７は、支圧板４に対しボルト締めによる固定が想定され、ボルト孔を有するものとなっている。なお、図１において、ヘッドキャップ７を固定するためのボルトと支圧板４に形成されるボルト孔の図示は省略されている。
【００３４】
この実施形態では、アンカーヘッド１、テンドン８の先端部、ナット３、及び押え具５の状態を、すなわち定着部材の状態を視認する際、ヘッドキャップ７を外すことが想定されているため、ヘッドキャップ７は着脱容易なボルト締めにより支圧板４へ固定されるものとなっている。ただし、ヘッドキャップ７の支圧板４に対する固定手法に制限はなく、その他公知の手法を採用してもよい。例えば、ヘッドキャップ７として窓付きや透明型のものを採用した場合、定着部材の状態を視認する際のヘッドキャップ７の支圧板４からの取り外しが不要となるため、着脱に時間を要する固定手法を採用してもよい。
【００３５】
また、実施形態において、ヘッドキャップ７で覆うことにより、その劣化防止が図られているが、これら部材に防錆処理を施すことにより、劣化防止効果を更に高めることができ、高い耐久性の維持が可能となる。
【００３６】
なお、必要に応じてヘッドキャップ７の内部に防錆油を充填することにより、更なる防錆効果の向上を図ることも可能であるが、この場合は定着部材の視認に際し防錆油を取り除くことが必要である。
【００３７】
図１に示す実施形態において、支圧板４の上面に設けられた凹陥部４２が、止水部材６を収容するための空間とされているが、支圧板４と押え具５で囲い支圧板４から離れる方向及び横断面方向への変形が規制された状態で圧縮することができれば、止水部材６はどのように収容されていてもよい。止水部材を収容する形態の異なる、他の実施形態を図２に示す。なお、図２において、図１に示す実施形態と実質的に同一の部分には同符号を付し、その説明を省略又は簡略化する。
【００３８】
図２に示す実施形態において、押え具５は円柱形をなし、支圧板４に当接する面において開口する平面視円形の凹陥部５２を有している。そして、横断面形状が凹陥部５２に適合するものとされ、高さ寸法が凹陥部５２の高さ寸法より大きいものとされた止水部材６が、凹陥部５２に収容されている。
【００３９】
図１及び図２に示す実施形態は、いずれも、押え具５の全体をヘッドキャプ７で覆うものとなっているが、止水部材６の収容空間を囲う部位がヘッドキャップ７に覆われるものであれば、押え具５においてヘッドキャップ７に覆われない部分があってもよい。例えば、押え具５の平面視形状が支圧板４と同じものとされ、ヘッドキャップ７の鍔部の外側に広く露出する部分があってもよい。ただし、図１及び図２に実施形態において、押え具５の平面視形状を、ヘッドキャップ７の鍔部の径よりも大きいものとする場合は、ヘッドキャップ７を支圧板４にボルト締めするためのボルトを通す貫通孔を設けることが必要である。
【符号の説明】
【００４０】
１    アンカーヘッド
２    くさび
３    ナット
４    支圧板
５    押え具
６    止水部材
７    ヘッドキャップ
８    テンドン
４１  貫通孔
４２、５２  凹陥部
７１  シールリング
８１  シース材
【要約】      （修正有）【課題】地中からの水の侵入を防止でき、定着構造部材の状態を視認により点検することができ、突出長を小さく抑えることができる、テンドンの頭部定着構造を提供する。【解決手段】外周にネジ溝が形成され、上端でくさび２を介しテンドン８の一部を保持するアンカーヘッド１と、アンカーヘッド１の外周に嵌装されネジ溝に螺合するナット３と、ナット３と支圧板４の間に配置される押え具５と、支圧板４と押え具５で囲われ支圧板４に設けられた貫通孔４１に連通する収容空間に収容され、高さが収容空間の高さよりも大きく弾力性を有する止水部材６と、アンカーヘッド１、テンドン８の先端部、ナット３、及び押え具５において収容空間を囲う部位を覆い、支圧板４に水密状態で密着するヘッドキャップ７を備え、テンドン８は、押え具５と止水部材６を貫通する挿通孔に通され、止水部材６は、支圧板４から離れる方向及び横断面方向への変形が規制され、圧縮される。【選択図】図１【図１】
0006861975.tif 000002
【図２】
0006861975.tif 000003